(57)【要約】凝縮液から飲料水を回収する装置は、ＵＶ輻射を遮断する、ＰＥＴやＰＣのような透明な合成樹脂からなる自立可能な成形部分１１からなる。上記成形部分１１は、その側縁部に回収溝１５を有する開口底部領域１６を備え、上記回収溝１５は、その円周面部１２に向く内壁部１８を有すると同時に、浮揚の補助のために設けられており、上記成形部分１１には、その上部１３に注ぎ口が設けられている。この装置の製造においては、成形される円周面部の領域だけでなく上記成形される回収溝の領域に、特殊な深絞りツールで負圧が印加され、上記成形部分が、上記回収溝の領域の外側で分離された深絞りツールの要素から分離される。【選択図】図１
2005507778.tif 000002
【特許請求の範囲】
【請求項１】
凝縮液から飲料水を回収する装置であって、
ＰＥＴやＰＣのような透明な合成樹脂からなり、ＵＶ輻射を遮断し、ボンネット（傘）状で自立可能な成形部分（１１）を備え、
前記成形部分（１１）は、その下部（１４）において、側縁部に回収溝（１５）を有する開口底部領域（１６）を備え、
前記回収溝（１５）は、その円周面部（１２）に向く内壁部（１８）を有し、
前記成形部分（１１）は、その上部（１３）に、注ぎ口（２０）を有する装置。
【請求項２】
前記回収溝（１５）の内壁部（１８）には、円錐状の円周面部（１２）に平行に近接して延びた部分が設けられることを特徴とする請求項１の装置。
【請求項３】
前記回収溝（１５）の内壁部（１８）の上縁部（１７）は、前記開口底部領域（１６）の方向に形成されることを特徴とする請求項１又は２の装置。
【請求項４】
前記注ぎ口（２０）は、前記成形部分（１１）の中心線Ａ−Ａに対して同軸に延びるように配設されていることを特徴とする請求項１乃至３のいずれか１項の装置。
【請求項５】
前記注ぎ口（２０）には、着脱可能なキャップ部（２２）が設けられていることを特徴とする請求項１乃至４のいずれか１項の装置。
【請求項６】
前記キャップ部（２２）は、前記注ぎ口（２０）のねじ切り部に螺合可能なねじキャップとして設けられることを特徴とする請求項５の装置。
【請求項７】
少なくとも１つの成形要素（２１，２３，２３’）が、保持用及び支持用に形成されていることを特徴とする請求項１乃至６のいずれか１項の装置。
【請求項８】
成形された保持用要素（２１）は、環状に形成されていることを特徴とする請求項７の装置。
【請求項９】
前記注ぎ口（２０）には、フィルタ及び／又はミネラル添加手段が挿入可能であることを特徴とする請求項１乃至８のいずれか１項の装置。
【請求項１０】
円錐状又は円錐台形状を有する成形体（１１）の前記円周面部（１２）の傾斜角度は、３０°程度であることを特徴とする請求項１乃至９のいずれか１項の装置。
【請求項１１】
前記成形体（１１）の円周面部は外側に湾曲していることを特徴とする請求項１乃至９のいずれか１項の装置。
【請求項１２】
前記円周面部の内側部には、前記成形体（１１）の前記上部（１４）から下部（１３）に延び、型で成形される表面拡大部及び／又は成形されたガイド要素（３０）が存することを特徴とする請求項１乃至１１のいずれか１項の装置。
【請求項１３】
前記成形体（１１）は、一方を他方の上部に配設し、各々の底部の領域において相互に係合可能な、２つの成形部分（２７，２８）からなることを特徴とする請求項１乃至１２のいずれか１項の装置。
【請求項１４】
前記上部の成形部分（２８）には、外側スカート部と平らな底部があり、前記下部（２７）には、前記溝の平らな底部と内壁部（１８）が存することを特徴とする請求項１３の装置。
【請求項１５】
前記底部の少なくとも１つには、保持用開口部（２９）が設けられていることを特徴とする請求項１３又は１４の装置。
【請求項１６】
前記溝部の内壁部の側部は、前記平らな底部領域（１６）に面し、曇り止めコーティングが施されていることを特徴とする請求項１３乃至１５のいずれか１項の装置。
【請求項１７】
前記開口底部領域（１６）には、黒色の透水性のカバーが設けられていることを特徴とする請求項１乃至１６のいずれか１項に記載の装置。
【請求項１８】
請求項１の装置を製造する方法であって、
（ａ）深絞りツールの側縁部にシール部を有する熱可塑性プラスチックの透明な合成樹脂の加熱されたシートを配置する工程と、
（ｂ）前記成形部分に形成される円周面部の領域と前記回収溝が形成される領域とに前記深絞りツールで負圧を印加する工程と、
（ｃ）前記成形部分を、成形された前記回収溝の領域に位置する深絞りツールの要素と共に成形型から取り除く工程と、
（ｄ）前記成形部分を、前記回収溝の領域の外側で、前記分離された深絞りツールの要素から分離する工程とを備える方法。
【請求項１９】
請求項１８の方法を実現する深絞りツールであって、
ボンネット状の成形部分の壁部を形成するためのキャビティが設けられ、好ましくは前記注ぎ口を成形する領域を有する主部（３３）と、
前記成形部分の側縁部に前記回収溝の領域を形成するために設けられ、少なくとも前記成形部分の回収溝を形成するための空気吸引孔（４４，４５）を有する取付部（３４）とを備えるツール。
【請求項２０】
前記取付部（３４）は、前記空気吸引孔（４４，４５）に連通される少なくとも１つの空気吸引ダクト（４６，４７）を備えることを特徴とする請求項１９のツール。
【請求項２１】
前記取付部（３４）は、前記回収溝の縁部を形成するために周囲が丸くされた成形型の縁部（５０）を備えることを特徴とする請求項１９又は２０のツール。
【請求項２２】
前記取付部（３４）は、分離するツールの止め部（５１）を備えることを特徴とする請求項１９乃至２１のツール。
【請求項２３】
前記止め部（５１）は、前記丸くされた成形型の縁部（５０）に形成されることを特徴とする請求項２２に記載のツール。
【請求項２４】
前記取付部（３４）は、２つに分かれた構造（４８，４９）を有することを特徴とする請求項１９乃至２３のいずれか１項のツール。
【発明の詳細な説明】
【技術分野】
【０００１】
本発明は、凝縮液から飲料水を回収する装置、当該装置の製造方法、並びに当該方法を実現する深絞りツールに関する。
【０００２】
例えば、本発明は、特に海での水の生成に適し、太陽輻射の作用により蒸発した水を凝縮液として回収するために陸上での利用に適した装置を包含する。このような用途として考えられる一般的な範囲としては、太陽エネルギーの作用による海水からの塩分の除去も考えられる。
【背景技術】
【０００３】
持ち運び可能な膨らませることができる海水の塩分除去装置は、海上での緊急時の備えとして知られ、浮揚するベースとして膨らませることができるＰＶＣリングと、凝縮面として設けられてこの浮揚するベースを覆う分離した円錐状の透明なＰＶＣシートとを備える。そして、上記凝縮液は、上記リングの外側と、支持ロッドにより所望の形状に維持されて、形状的に不安定なシート状のコーンの内側との間で回収される。
【０００４】
上記周知の装置の欠点と考えられるべきところは、上記シートが容易に傷つき、特に簡単に穴があくことである。更に言えば、ロッドを含む構成は、極めて煩わしく、不具合がないように適切に組み立てる必要がある。上記装置の個々の部品の製造は、比較的高価であり、その柔軟性のためにシートを洗浄する際の取り扱いに関して欠点がある。上記シートを除く部分は限度内で機械的荷重をかけることが可能であるが、風や雨等の外の天候に注意が必要である。最後に、上記回収された凝縮液の排出が不便で問題がある。凝縮液は上記装置の下面側を通じて注ぎ出さねばならず、更に凝縮液をいくらか失ってしまうからである。
【０００５】
米国特許第３４１５７１９号には、太陽エネルギーの作用で凝縮された水を回収するための折り畳み可能な装置であって、水蒸気に対して透水性の回収容器が上記凝縮液を回収する底部の要素として設けられた、膨らませることができる透明なプラスチック体からなり、水面の上に配置されるものを開示している。上述した欠点、特に取り扱いや形状安定性に関する問題は、この装置にも当てはまる。
【０００６】
国際公開第００／０３７７９号には、凝縮液を回収する装置であって、その下端部に回収溝を形成するための一体的な内方への折り目を設け、蒸発する配置でもって底部プレートを受けるようにした円錐状ボンネット部を備えるものが開示されている。この蒸発プレートは、補助的な浮揚するリングによって取り囲まれている。上述した欠点に加え、この装置は、膨らますことができる浮揚リング、複雑な構成の上記蒸発プレートを有し、更にはこれらを組み付けて装置を使用可能に準備することが製造コストを高め、更なる欠点を構成すると考えられる。
【特許文献１】
米国特許第３４１５７１９号
【特許文献２】
国際公開第００／０３７７９号
【発明の開示】
【発明が解決しようとする課題】
【０００７】
従って、本発明は、比較的簡単な構成を備え、効率よく、容易かつ問題なく取り扱いや製造ができる、以下に概要を説明する装置やその製造方法、並びに当該方法を実現する深絞りツールの提供を課題としている。
【課題を解決するための手段】
【０００８】
本発明によれば、この課題は、請求項１，１８，１９の各々の特徴によって解決される。本発明を適切な態様にて改良する好ましい特徴は、各々の従属請求項から導かれる。
【０００９】
本発明に係る装置構成によれば、製造、使用、用途に関して明確な利点が達成される。ボンネット状で、特に円錐状、円錐台(frusto)状若しくはピラミッド状の成形部分は、好ましくは、ＰＥＴ，ＰＥ，ＰＰ又はＰＣ等の強度があって柔軟な材料からなる。このような構成によって、尖った物体によって引き起こされる傷に耐える充分な機械的強度が得られる。更に、風の影響による変形もない。よって、機能的な完全性は、雨や風、その他の外の気候によっては損なわれない。
【００１０】
上記成形部分の外形によれば、本発明は、凝縮液の回収溝が、本装置が水面で機能すると同時に、浮揚体の機能を果たす点で好ましい特徴を提供する。よって、この補助的な浮揚体や浮揚するリングは手間を省くことができる。本装置は、好ましくは一体的な部分として成形され、低価格で製造できるように連続して成形でき、特に発展途上国での利用に最適である。
【００１１】
上記成形部分が蒸発部分を持つ底部を含まない点は、更なる利点と考えられる。つまり、藻の問題や水垢の形成が起こらない。本装置は、容易に洗浄でき、膨らませたり、支持構造体がなくともすばやく使用の準備ができる。
【００１２】
本発明に係る他の態様によれば、上記成形部分の頂部に上記凝縮液を注ぎ出すための注ぎ口が設けられている。これを適切に配置することで、注ぎ口が汚れず、水が不用意に流れ出ないようにすることができる。
【００１３】
本発明に係る更に好適な態様によれば、上記注ぎ口をねじ式プラグで閉塞することができ、飲用ボトルとして使用することが認識できる。同時に、本装置は、形状的に安定な構造であることによって、逆さまにして雨の回収容器としても使用することも可能である。
【００１４】
最後に、上記成形部分の上部に好適な閉塞可能な排出口を設置したことによる更なる利点は、特に円錐状又はピラミッド状の頂部において、上記成形部分全体が凝縮液を注ぎ出すために１８０°傾けられる点である。好ましくは、凝縮液の液滴が内壁部に存するので、注ぎ出せる飲料水の回収量を増加できる。
【００１５】
本発明に係る更なる態様によれば、上記成形体は互いに頂部に配置された２つの成形部分から製造され、底部の領域で互いに係止されるように構成されている。その結果、所謂二重壁構造が得られ、凝縮液の回収を高効率で実現できる。これに加えて、外側のスカート部から早く滴下する凝縮液を、当該外側のスカート部と平行に延びる内壁部の溝で回収でき、底部の何もない領域に滴下させない。上記盛り上がった内側の開口部の他の好ましい観点としては、本装置が浮揚する波の不意な浸透から適切に保護することである。
【００１６】
本発明に係る装置の全般的な態様では、円周面部の内側部分に曇り止めコーティングが設けられ、外側部分がひっかきに耐え得る場合に、更なる利点が存する。
【００１７】
製造が簡単である以外に、汚れがほとんどなく、開口部を保持する構成は、２つの、特に深絞り要素、から構成された装置に好適で、開口部はハンドルを保持する機能と、本装置をつなぎ止め、係止する２つの機能を有する。接着剤や、バクテリアや藻を防ぐ物質を有する他の接続手段は、好ましくは上記２つの成形部分を接合するために設けられる。
【００１８】
本発明に係る装置の全般的な態様では、砂、ごみ、バクテリア等をろ過するために、上記注ぎ口の領域にフィルタカートリッジが挿入可能であり、更に／又は、ミネラルを添加するためのミネラルカートリッジを設けることができる。上記ボンネット状の、特に円錐面は、わずかに丸みを帯びており、高い安定性が実現できる。上記注ぎ口の領域における襟部の下方に設けられた小穴部分は、形状的な安定性に寄与し、適切な態様において破れに対して優れた抵抗力がある。
【００１９】
更に、本発明に係る他の態様によれば、凝縮領域を拡大し、良好な冷却を実現するために、外側のスカート部は、特に溝や波形の形状で、成形型内の領域及び／又は盛り上がった形状部分によって拡張される。補助的な熱回収効果は、蒸気に適した布材により実現でき、当該布材は、上記成形体の下側を覆うように伸張されると同時に、波が打ち寄せることによる汚染を防ぐ。更に、補助的な閉塞可能な開口部は、上記回収溝の領域における排水のために設けられている。
【００２０】
結果として、本発明に係る装置は、上記凝縮液回収溝が適切な保持ハンドルだけでなく、浮揚する補助となり、簡単な構成を持ち合わせ、簡単かつ確実に取り扱えるよう設けられる。本装置は保守が不要であり、積み重ねることができ、他の取付具や付加的な構造なしに、すぐに使用の準備ができる。
【００２１】
所望の成形形状によると、上記成形体は何ら問題なく安全に積み重ねることができると共に、そのように積み重ねた構成では、上記開口する注ぎ口を通じて突出する支持ロッドによって持ち運びが容易になる。
【００２２】
請求項１８で特定された特徴に対応した、本発明に係る凝縮液から飲料水を回収する装置の製造方法では、回収溝が形成される領域における側方に付加された排気部によって深絞り加工のための特殊な負圧処理が施されると共に、回収溝の領域の外側にて、分離された深絞りツール要素から成形部分を分離する処理が施される。
【００２３】
上記回収溝が形成される領域における特別に付加された排気部によって、所望の形状に完全に対応した上記成形部分の後方の係合部を適切に形成することが可能となると共に、最終的な成形部分が、分離された深絞り要素から後で容易に分離される。この方法によれば、極めて簡単で効率的に装置、特に回転対称な装置の製造が可能となる。
【００２４】
上記深絞りツールは、請求項１９で特定された特徴ある方法を達成するために追加的に設けられ、一定の厚さ及び一定の外形を有する側縁部において所望の回収溝の成形を可能とする、主部と取付部とを備える。結果として、主部の領域における負圧の作用が充分でないときであっても、上記成形部分の領域に係合する後方部分が良好に成形される。回収溝を形成するための空気吸引孔は、好ましくは上記取付部に形成され、上記主部における吸引空気ダクトに連通される。
【００２５】
好ましい更なる態様によれば、上記取付部は、上記回収溝の内側縁部を形成するために周囲が丸く形成された成形型の縁部を備え、当該取付部は、好ましくは上記丸い成形型の縁部に適切に形成される分離ツールの止め部を備える。
【００２６】
本発明に係る他の態様によれば、上記取付部は、上記吸引空気ダクトや吸引表面、上記取付部における吸引エアダクトを製造可能とするための２つに分かれた構造を有する。
【発明を実施するための最良の形態】
【００２７】
以下では、添付図面を参照して本発明について更に詳細に説明する。
【００２８】
図１は、本発明に係る第１の実施形態の凝縮液から飲料水を回収する装置を示している。上記装置１０は、上部１３から下部１４に延びる円周面１２を設けた円錐状の成形部分１１を備える。上記成形部分１１は回転対称とされ、ＰＥＴやＰＣ等の透明な合成樹脂からなる。
【００２９】
上記下部において、内方に突出する回収溝１５が、上記成形部分１１の側縁部に一体的に形成されると同時に、浮揚するための補助として設けられる。上記回収溝１５は、上記回収溝１５の上縁部１７及び内壁部１８によって形成された開口する底部領域１６を取り囲んでいる。上記回収溝１５の内壁部１８は、上記円周面部１２に平行で近接して延びている。
【００３０】
上記回収溝１５の下部には、上記凝縮液を全て排出するための排水口１９が設けられており、不図示の閉塞する要素によって閉塞可能とされる。上記成形部分１１の上部１３には注ぎ口２０が形成されており、その外側に襟状（環状）部２１と共に、螺合締結される蓋部２２を有するねじ切りされたチューブ部を閉塞する要素として備える。側方に一体的に形成された付加部分２３は、上記襟状部２１と上記円周面部１２の間に、カバーにおける上部の一体形成部分２３’と共に成形され、上記上部の安定性を増すと共に、保持ハンドルとして補助的な取付のために設けられる。図１に示す装置の最も簡単な基本形状においては、上記装置は、図２の積み重ねた形状で概略的に示された構造だけを有し、図２に示すように優れた形状安定性を持ち、持ち運びの容易化のために、螺合締結されるカバー２２を取り除いた後、ねじ切りされたロッドを貫通可能な複数の成形体１１を持つ。
【００３１】
図２及び図３は、本発明に係る一実施形態の装置の取り扱いについてより詳細に説明する。図１に示す形態の変形態様に関し、この実施形態は、注ぎ口２０の領域にフィルタカートリッジ２４を備えると共に、上記回収溝の内壁部１８が、塩水及び汚れた水の戻り止めとして設けられる周囲の保護縁部２５として、上記開口する底部領域の方向に延びるように構成され、図４にその注いでいる状態が概略的に示されている。
【００３２】
図３に示すように、上記成形部分１１は、湿った地面と水面のいずれかに配置される。太陽熱の影響下において、上記水は、何もない底部の領域ににおいて蒸発し、蒸気は凝縮液の形成において円周面部１２の内面に付着すると共に、重力によって上記円周面部に沿って流れ落ち、上記回収溝に達する。充分な量の凝縮液が上記回収溝１５に集められたときには、上記成形部分１１をつかみ、逆さまにして上記回収溝に集められた水が予めカバー２２が取り除かれた上記注ぎ口２０から流出する。上記成形部分を揺り動かすことで、上記回収溝１５からまだ流れ出ていない残りの量の凝縮液も、適切に集めて、注ぎ出すことができる。
【００３３】
図５に示す実施形態においては、上記内壁部が真っ直ぐな面とされたものが示されており、図１及び図３と異なり、上記成形部分１４の下部が布を取り付ける手段を受ける側縁部において外側に適切な形状で広げられている。符号２６は、何もない底部の領域１６を覆うように伸張された黒色の布であり、当該布は透水性があり、波が打ち寄せることに対する保護として、更には高い蒸発熱を得るために設けられる。
【００３４】
図６及び図７は、図８に示すように、下部成形部分２７と上部成形部分２８からなる二重壁の成形部分１１’の側面図及びを下方から見た図である。
【００３５】
上記上部成形部分と同様に下部成形部分は、深絞り要素として構成されており、下端部に側方に延びる略方形状の底部を備える円錐部からなる。下部成形部分２７は、中央部に（ｆｒｕｓｔｏ）円錐状の一体的な上記回収溝１５の内壁部１８を構成する成形部分が立設された略同等の方形状の底部プレートを有する。
【００３６】
図６から明らかなように、上記内壁部１８と外側スカート部１２とは、上記成形部分１１’の上部１３にほとんど平行に近接して延びている。上記装置の機能として、凝縮液は、上記内壁部１８と外側スカート部１２の間に形成された比較的広い回収溝１５に集まる。符号２９は、保持ハンドル及び装置の取付開口部として設けられる連続した細長い孔である。
【００３７】
図８によると、上記上部成形部分２８は、上記下部成形部分２７の中央部に配置されて接合されるか、或いは図６及び図７による装置を製造するための適切な固定手段によって固定されて、上記保持開口部２９は両方の底部に位置決めされる。また、２つの成形部分は、バクテリアや藻を防ぐ接着剤やシリコンによって、各々が互いに接合される。
【００３８】
図９乃至１２は、上記成形部分１１の外壁部の様々な形状を示しており、上記襟状部、保持ハンドル、説明の簡略化のために省略した排水口等の一体的に成形された補助的部分を有する。図１のように、上記装置は円錐状の成形部分を備えると共に、図１０のように、上記円周面部がボンネット状に外側に湾曲している。これにより、更に形状安定性が改善される。図１１の構造は、他の可能な態様であり、上記円周面部が半球状に近い形状となっている。図１２のピラミッド状に構成した上記円周面部では、有効領域が最も大きなものとなる。
【００３９】
図１３においては、図１１の装置において、上記円周面部が、上記表面を拡張するための溝を含み、凝縮液の液滴が流れ落ちるのを良好に制御できるようにジグザグ形状に拡大されたものが概略的に示されている。また、図示の溝３０に代えて、上記成形部分の上記上部１３から下部１４に延びる、他の何か一体的に成形される案内部材を設けることも可能である。
【００４０】
図１４は、図１３の装置を下方から見た図であり、図１５は、図１３のＸＶ−ＸＶに沿う部分的な断面の外延を概略的な形状で大まかに示している。
【００４１】
図１６乃至１８は、上記成形部分１１を信頼性高く、安全に積み重ねるための回収溝の様々な形状を示している。図１６に示すような上記円周面部１２の底部においては、周囲の成形された部分３１が、相互に補完する（嵌り合う）ような曲率を持つ上記回収溝１５の部分３２を受けるように設けられている。
【００４２】
図１７のように、図５の実施形態に類似した態様での保持部の側方の形状は、ここでは上記上部成形体の下部表面３３が上記下部成形体の上部水平面３４に載るので、上記装置が信頼性高く、正確な位置に積み重ねることができることを保証する。
【００４３】
図１８は、上記成形部分１１の適切に積み重ねるために設けられた更に他の実施形態を示し、上記内壁部１８が円周面部１２に平行に延びており、シートのように支承されている。
【００４４】
図５に示す実施形態の装置を製造するために、図１９及び２０は好適な作業工程を示している。図１９は、回収装置がない状態でのブロー（噴出し）形状の成形部分の概略図である。上記成形部分１１には、下方に向けて円錐状にテーパし、後で切り離される底部を有する開口部３５が設けられている。図２０に示すように、上記部分３５は、後で加熱後に向きを変えるか、内壁部１８として上方にひっくり返される。
【００４５】
ここで、本発明に係る実施形態の深絞りツールと、凝縮液から飲料水を回収する装置の製造方法について、図２１乃至２７を参照して詳しく説明する。
【００４６】
図２１は、回転対称な深絞りツール３２を貫通した概略部分を示しており、主部３３とと取付部３４からなる。上記主部３３には、ボンネット（傘）状の成形部分の側壁部を形成するためのキャビティ３５、上記成形部分の注ぎ口を成形する成形領域３６、主部３３の下部に設けられた吸引キャビティ３８から取付部３４に通じると共に、上記主部３３の上端部において周囲の縁部４１の上部側部に設けられた凹部４０に配設された周辺シール部３９が示された、側方吸引ダクト３７が設けられている。上記縁部４１は、上記取付部３４の軸受面を構成する肩部４２まで延びている。図１９及び２０と同様に、Ａ−Ａ線は、上記成形体が生成される対称軸若しくは回転軸を夫々示している。
【００４７】
図２２は、上記深絞り成形型３２の左上部の領域の詳細を拡大した断面図である。ここでは、空気吸引孔４３乃至４５が特に明瞭に示されており、上記成形部分に形成される回収溝の領域に開口している。なお、上記吸引孔４３は主部３３に形成され、環状の吸引ダクト３７に直接開口していると同時に、上記ダクト４４，４５は、夫々上記空気吸引ダクト４６又は吸引キャビティ４７に通じて、接続されている。製造技術上の理由から、ここでは、上記取付部３４には主部４８と、頂部で上記吸引キャビティ４７を閉塞するカバー状の環状部４９とが形成されている。上記主部４８には、図２２における指状の断面領域を有する、周囲に丸みを持つ成形型縁部５０が設けられている。符号５１は、分離するツール用の上記成形縁部に成形される止め部を示している。この止め部は、上記成形型の円錐状の漏斗部又はキャビティ３５から夫々取り除いた後、上記取付部３４から上記成形部分を分離するために設けられる。上記成形縁部５０の外側の輪郭は、深絞り作業中に、材料に傷が付かずに、できる限り多くの材料が、上記成形部分の側縁部に生成される上記回収溝の領域における内部空間に流し込めるように、丸く形成されている。
【００４８】
ここで、本発明に係る方法について、図２３乃至２７の外観を参照して詳しく説明する。図２３の開始位置おいて、第１の作業工程では、上記側縁部にシール部を持つ熱可塑性の透明な合成樹脂からなる加熱されたシート５２を、概略的に示す深絞りツール３２に配置する。その後、上記シート５２が図２４から図２５のように上記深絞りツール３２に対応した形状に形作るために、上記深絞りツール３２に負圧が印加されると同時に、図２２で説明したように、上記成形部分の側縁部に形成される回収溝の領域において、上記主部３３の開口部３６（図２１）と吸引孔４３乃至４５を通じて上記負圧が引かれる。
【００４９】
図２６において、上記冷却された成形部分が、取付部３４と共に上記成形型の主部３３から取り除かれ、その後、最終工程では、上記成形部分は、一方の上記成形部分の一部５３と、他方の上記仕上がりの成形部分５４とからなり、両方が上記取付部３４から分離されて、止め部５１に沿って分離される。
【図面の簡単な説明】
【００５０】
【図１】本発明に係る第１の実施形態の装置の側方から見た透視図である。
【図２】互いに上部に積み重ねた図１の４つの装置の斜視図である。
【図３】本発明に係る他の実施形態の原理的な作用を説明する図である。
【図４】凝縮液が注ぎ出される状態の概略部分における図３の実施形態を示す図である。
【図５】波の打ち寄せから保護し、より大きな蒸発熱を得るために、透水性を有する黒色布材が底部の領域を覆うように伸張された本発明に係る装置の他の実施形態を示す図である。
【図６】本発明に係る更に他の実施形態を示す概略図である。
【図７】図６の装置を下方から見た図である。
【図８】図６の装置の組み立てを示す図である。
【図９】外壁部が異なる形状である異なる実施形態の装置を示す図である。
【図１０】外壁部が異なる形状である異なる実施形態の装置を示す図である。
【図１１】外壁部が異なる形状である異なる実施形態の装置を示す図である。
【図１２】外壁部が異なる形状である異なる実施形態の装置を示す図である。
【図１３】側方から見た概略透視図である。
【図１４】底面図である。
【図１５】図３のＸＶ−ＸＶ断面図である。
【図１６】積み重ね可能な回収溝の異なる形状を示す図である。
【図１７】積み重ね可能な回収溝の異なる形状を示す図である。
【図１８】積み重ね可能な回収溝の異なる形状を示す図である。
【図１９】本発明に係る実施形態の装置の製造工程の概略図である。
【図２０】本発明に係る実施形態の装置の製造工程の概略図である。
【図２１】回転対称な装置を製造するための本発明に係る実施形態の深絞りツールの概略断面図である。
【図２２】空気吸引孔を示すために図２１の左上領域を拡大した部分断面図である。
【図２３】本発明に係る深絞りツールを使用して、本発明に係る一実施形態の装置を製造する個々の工程を示す図である。
【図２４】本発明に係る深絞りツールを使用して、本発明に係る一実施形態の装置を製造する個々の工程を示す図である。
【図２５】本発明に係る深絞りツールを使用して、本発明に係る一実施形態の装置を製造する個々の工程を示す図である。
【図２６】本発明に係る深絞りツールを使用して、本発明に係る一実施形態の装置を製造する個々の工程を示す図である。
【図２７】本発明に係る深絞りツールを使用して、本発明に係る一実施形態の装置を製造する個々の工程を示す図である。
【図１】
2005507778.tif 000003
【図２】
2005507778.tif 000004
【図３】
2005507778.tif 000005
【図４】
2005507778.tif 000006
【図５】
2005507778.tif 000007
【図６】
2005507778.tif 000008
【図７】
2005507778.tif 000009
【図８】
2005507778.tif 000010
【図９】
2005507778.tif 000011
【図１０】
2005507778.tif 000012
【図１１】
2005507778.tif 000013
【図１２】
2005507778.tif 000014
【図１３】
2005507778.tif 000015
【図１４】
2005507778.tif 000016
【図１５】
2005507778.tif 000017
【図１６】
2005507778.tif 000018
【図１７】
2005507778.tif 000019
【図１８】
2005507778.tif 000020
【図１９】
2005507778.tif 000021
【図２０】
2005507778.tif 000022
【図２１】
2005507778.tif 000023
【図２２】
2005507778.tif 000024
【図２３】
2005507778.tif 000025
【図２４】
2005507778.tif 000026
【図２５】
2005507778.tif 000027
【図２６】
2005507778.tif 000028
【図２７】
2005507778.tif 000029
【国際公開パンフレット】
2005507778.tif 000030
2005507778.tif 000031
2005507778.tif 000032
2005507778.tif 000033
2005507778.tif 000034
2005507778.tif 000035
2005507778.tif 000036
2005507778.tif 000037
2005507778.tif 000038
2005507778.tif 000039
2005507778.tif 000040
2005507778.tif 000041
2005507778.tif 000042
2005507778.tif 000043
2005507778.tif 000044
2005507778.tif 000045
2005507778.tif 000046
2005507778.tif 000047
2005507778.tif 000048
2005507778.tif 000049
2005507778.tif 000050
2005507778.tif 000051
2005507778.tif 000052
2005507778.tif 000053
2005507778.tif 000054
2005507778.tif 000055
2005507778.tif 000056
2005507778.tif 000057
2005507778.tif 000058
2005507778.tif 000059
2005507778.tif 000060
2005507778.tif 000061
【国際公開パンフレット（コレクトバージョン）】
2005507778.tif 000062
2005507778.tif 000063
【手続補正書】
【提出日】平成15年9月18日(2003.9.18)
【手続補正１】
【補正対象書類名】明細書
【補正対象項目名】特許請求の範囲
【補正方法】変更
【補正の内容】
【特許請求の範囲】
【請求項１】
凝縮液から飲料水を回収する装置であって、
ＰＥＴやＰＣのような透明な合成樹脂からなり、ＵＶ輻射を遮断し、ボンネット（傘）状で自立可能な成形部分（１１）を備え、
前記成形部分（１１）は、その下部（１４）において、側縁部に回収溝（１５）を有する開口底部領域（１６）を備え、
前記回収溝（１５）は、その円周面部（１２）に向く内壁部（１８）を有し、
前記成形部分（１１）は、その上部（１３）に、注ぎ口（２０）を有する装置。
【請求項２】
前記回収溝（１５）の内壁部（１８）には、円錐状の円周面部（１２）に平行に近接して延びた部分が設けられることを特徴とする請求項１の装置。
【請求項３】
前記回収溝（１５）の内壁部（１８）の上縁部（１７）は、前記開口底部領域（１６）の方向に形成されることを特徴とする請求項１又は２の装置。
【請求項４】
前記注ぎ口（２０）は、前記成形部分（１１）の中心線Ａ−Ａに対して同軸に延びるように配設されていることを特徴とする請求項１乃至３のいずれか１項の装置。
【請求項５】
前記注ぎ口（２０）には、着脱可能なキャップ部（２２）が設けられていることを特徴とする請求項１乃至４のいずれか１項の装置。
【請求項６】
前記キャップ部（２２）は、前記注ぎ口（２０）のねじ切り部に螺合可能なねじキャップとして設けられることを特徴とする請求項５の装置。
【請求項７】
少なくとも１つの成形要素（２１，２３，２３’）が、保持用及び支持用に形成されていることを特徴とする請求項１乃至６のいずれか１項の装置。
【請求項８】
成形された保持用要素（２１）は、環状に形成されていることを特徴とする請求項７の装置。
【請求項９】
前記注ぎ口（２０）には、フィルタ及び／又はミネラル添加手段（２４）が挿入可能であることを特徴とする請求項１乃至８のいずれか１項の装置。
【請求項１０】
円錐状又は円錐台形状を有する成形体（１１）の前記円周面部（１２）の傾斜角度は、３０°程度であることを特徴とする請求項１乃至９のいずれか１項の装置。
【請求項１１】
前記成形体（１１）の円周面部は外側に湾曲していることを特徴とする請求項１乃至９のいずれか１項の装置。
【請求項１２】
前記円周面部の内側部には、前記成形体（１１）の前記上部（１４）から下部（１３）に延び、型で成形される表面拡大部及び／又は成形されたガイド要素（３０）が存することを特徴とする請求項１乃至１１のいずれか１項の装置。
【請求項１３】
前記成形体（１１）は、一方を他方の上部に配設し、各々の底部の領域において相互に係合可能な、２つの成形部分（２７，２８）からなることを特徴とする請求項１乃至１２のいずれか１項の装置。
【請求項１４】
前記上部の成形部分（２８）には、外側スカート部と平らな底部があり、前記下部（２７）には、前記溝の前記溝の平らな底部と内壁部（１８）が存することを特徴とする請求項１３の装置。
【請求項１５】
前記底部の少なくとも１つには、保持用開口部（２９）が設けられていることを特徴とする請求項１３又は１４の装置。
【請求項１６】
前記溝部の内壁部の側部は、前記平らな底部領域（１６）に面し、曇り止めコーティングが施されていることを特徴とする請求項１３乃至１５のいずれか１項の装置。
【請求項１７】
前記開口底部領域（１６）には、黒色の透水性のカバーが設けられていることを特徴とする請求項１乃至１６のいずれか１項に記載の装置。
【請求項１８】
請求項１の装置を製造する方法であって、
（ａ）深絞りツールの側縁部にシール部を有する熱可塑性プラスチックの透明な合成樹脂の加熱されたシートを配置する工程と、
（ｂ）前記成形部分に形成される円周面部の領域と前記回収溝が形成される領域とに前記深絞りツールで負圧を印加する工程と、
（ｃ）前記成形部分を、成形された前記回収溝の領域に位置する深絞りツールの要素と共に成形型から取り除く工程と、
（ｄ）前記成形部分を、前記回収溝の領域の外側で、前記分離された深絞りツールの要素から分離する工程とを備える方法。
【請求項１９】
前記装置は、ボンネット状の成形部分の壁部を形成するためのキャビティが設けられ、好ましくは前記注ぎ口を成形する型内の領域を有する主部（３３）と、前記成形部分の側縁部に前記回収溝の領域を形成するために設けられ、少なくとも前記成形部分の回収溝を形成するための空気吸引孔（４４，４５）を有する取付部（３４）とを備える深絞りツールによって深絞り加工により製造されることを特徴とする請求項１乃至１７のいずれか１項の装置。
【請求項２０】
前記取付部（３４）は、前記空気吸引孔（４４，４５）に連通される少なくとも１つの空気吸引ダクト（４６，４７）を備えることを特徴とする請求項１９の装置。
【請求項２１】
前記取付部（３４）は、前記回収溝の縁部を形成するために周囲が丸くされた成形型の縁部（５０）を備えることを特徴とする請求項１９又は２０の装置。
【請求項２２】
前記取付部（３４）は、分離するツールの止め部（５１）を備えることを特徴とする請求項１９乃至２１の装置。
【請求項２３】
前記止め部（５１）は、前記丸くされた成形型の縁部（５０）に形成されることを特徴とする請求項２２に記載の装置。
【請求項２４】
前記取付部（３４）は、２つに分かれた構造（４８，４９）を有することを特徴とする請求項１９乃至２３のいずれか１項の装置。
【国際調査報告】
2005507778.tif 000064
2005507778.tif 000065
2005507778.tif 000066
2005507778.tif 000067
2005507778.tif 000068